(57)【要約】【課題】端部から一方向にしか壁パネルを解体することのできない間仕切壁では、壁パネルの解体や接続作業が煩雑であることから、一旦、壁パネルを組み上げると、空間レイアウトの変更が困難であった。【解決手段】一方向へ壁パネル１２を接続し、それとは逆の一方向へ壁パネル１２を解体する接続形式の壁パネル１２・１２・・・を接続して成る間仕切壁Ｗおいて、該間仕切壁Ｗの連続する略同一平面のそれぞれに少なくとも一つの開口部７を設けた。そして、前記開口部７の周縁に、少なくとも一つの開口横枠と、壁パネルの側面に着脱可能に固定した二つの開口縦枠とから成る開口枠を備えた。【選択図】図１
2006241817.tif 000002
【特許請求の範囲】
【請求項１】
一方向へ壁パネルを接続し、それとは逆の一方向へ壁パネルを解体する接続形式の壁パネルを接続して成る間仕切壁おいて、該間仕切壁の連続する略同一平面のそれぞれに少なくとも一つの開口部を設けたことを特徴とする間仕切壁。
【請求項２】
前記開口部の周縁に、立設された壁パネル間に該壁パネルと異なる部材に支持固定された少なくとも一つの開口横枠と、立設された壁パネルの側面に着脱可能に固定した二つの開口縦枠とから成る開口枠を備えた、
請求項１に記載の間仕切壁。
【発明の詳細な説明】
【技術分野】
【０００１】
本発明は、間仕切壁の構成技術に関する。
【背景技術】
【０００２】
従来、室内空間を家具や壁パネルにて形成した間仕切壁にて、可変且つ自在に間仕切ることが知られている。室内空間を生活様式の変化に応じてそれぞれの配置を組み替えることが可能であるという利点を有する。例えば、特許文献１に記載の技術のように、間仕切壁を形成する壁パネルや家具等を特定寸法（モジュール）に基づいて構成して、これらの要素を自在に組み替えることにより、室内空間のレイアウトを可変としている。
【０００３】
上述のように、広い室内空間を可変に間仕切る間仕切壁は、複数の壁パネルを接続して形成される。壁パネルの接続形態は該壁パネルの構造によって様々である。
例えば、特許文献２に記載の技術のように、既設の壁パネルに対して接続する壁パネルを上下方向に移動させる動作によって嵌合する形態の嵌合部材を用いて、壁パネル同士を接続し、間仕切壁を形成するものが知られている。
このように上下方向に接続しようとする壁パネルを移動させる動作にて壁パネル同士を接続する形態の壁パネルの場合、間仕切壁を解体する際には、壁パネルの解体方向は一方向となる。つまり、図１０に示すように、例えば、平面視Ｌ字状に間仕切壁Ｗを立設施工する際に、Ｌ字の一側端部の壁パネル１２Ａから他側端部の壁パネル１２Ｚに向かって順番に間仕切壁Ｗの構成要素である壁パネル１２・１２・・・を接続し、また、この間仕切壁Ｗを解体する際には、最後に接続した前記他側端部の壁パネル１２Ｚから、前記一側端部の壁パネル１２Ａに向かって順番に解体するのである。
【特許文献１】特開平２−４９８５９号公報
【特許文献２】特開２０００−１２９８２７号公報
【発明の開示】
【発明が解決しようとする課題】
【０００４】
しかし、上記特許文献２に記載のように壁パネルを接続する場合、間仕切壁の端部側から一方向にしか間仕切壁を解体することができず、例えば、図１０に示すように、間仕切壁Ｗの中央に配置された壁パネル１２Ｘのみを取り外そうとする場合には、最後に組み付けた間仕切壁Ｗの端部にある壁パネル１２Ｚから目的とする壁パネル１２Ｘまでの全ての壁パネル１２・１２・・・を解体する必要がある。
間仕切壁の構成壁パネル枚数が少ない場合には解体する壁パネルの数が少なくて済み、問題はさほど生じないが、上記特許文献２に示すように、室内を大空間としてこれを間仕切壁で自在に間仕切る場合には、間仕切壁を構成する壁パネルの数は膨大になり、また、その接続形態もＬ字状・十字状・Ｔ字状というように複雑になる。このような場合には、端部から一方向にしか解体することのできない間仕切壁は、空間レイアウトの変更作業が煩雑となり、空間を自在に変化させて空間を有効利用しようとする住人の意志を低下させてしまう。
【課題を解決するための手段】
【０００５】
本発明の解決しようとする課題は以上の如くであり、次にこの課題を解決するための手段を説明する。
【０００６】
即ち、請求項１においては、一方向へ壁パネルを接続し、それとは逆の一方向へ壁パネルを解体する接続形式の壁パネルを接続して成る間仕切壁おいて、該間仕切壁の連続する略同一平面のそれぞれに少なくとも一つの開口部を設けたものである。
【０００７】
請求項２においては、前記開口部の周縁に、立設された壁パネル間に該壁パネルと異なる部材に支持固定された少なくとも一つの開口横枠と、立設された壁パネルの側面に着脱可能に固定した二つの開口縦枠とから成る開口枠を備えたものである。
【発明の効果】
【０００８】
本発明の効果として、以下に示すような効果を奏する。
【０００９】
請求項１においては、間仕切壁の各連続する略同一平面に該間仕切壁の解体と接続の起点を形成することができ、解体又は接続する壁パネルの数を抑えて室内空間のレイアウトの変更を行うことができる。
【００１０】
請求項２においては、開口枠の構成部材は、間仕切壁を構成する全ての壁パネルの接続施工後に取り付けることができ、且つ、間仕切壁を構成する全ての壁パネルから最初に取り外すことができるので、開口部の間仕切壁の解体又は組立の起点となる機能を維持しながら、開口部を装飾することができる。
【発明を実施するための最良の形態】
【００１１】
次に、発明の実施の形態を説明する。
図１は本発明の実施例に係る間仕切壁の構成を示した平面図、図２は間仕切壁を構成する壁パネルの接続手順を説明する図、図３は間仕切壁を備えた室内空間の様子を示す図である。
図４は上下レールを敷設した間仕切壁施工の様子を示す図、図５は壁パネルを立設した間仕切壁施工の様子を示す図、図６は開口枠を取り付けた間仕切壁施工の様子を示す図、図７は開口部への開口枠の取り付け手順を説明する図、図８は巾木を取り付けた間仕切壁施工の様子を示す図、図９は戸を取り付けた間仕切壁施工の様子を示す図である。
図１０は従来の間仕切壁の構成の一例を示した平面図である。
【００１２】
本発明に係る間仕切壁構造では、図１に示すように、壁パネル１２を上下方向に移動させることによって壁パネル１２・１２同士を接続して成る間仕切壁Ｗの少なくとも一部に、開口部７を形成するとともに、該開口部７に開口枠を備えることを特徴としている。
【００１３】
例えば、壁パネル１２・１２同士を接続する際には、図２（ａ）に示すように、既に立設された壁パネル１２（１２Ａ）の側面に接続部材３０・３０を設け、該壁パネル１２（１２Ａ）の側方に接続する壁パネル１２（１２Ｂ）を仮立てしたのち、接続する壁パネル１２（１２Ｂ）を略水平方向に移動してその側面に形成された接続用溝（図示せず）に接続部材３０・３０を嵌入し、図２（ｂ）に示すように、接続する壁パネル１２（１２Ｂ）を相対的に下方から上方へ上下方向に移動させることによって、壁パネル１２・１２を緊結した状態とする。
また、間仕切壁Ｗを解体する際には、接続するときとは逆に、隣接する壁パネルのうち後に接続した方の壁パネルを、上方から下方へ上下方向に移動させることによって、接続を解除して解体する。
【００１４】
従って、上述のように接続・解体する壁パネルは、接続方向と解体方向が一義的に定められるので、図１に示すように、間仕切壁Ｗを構成する壁パネルは、基本的に間仕切壁Ｗの一側端にある壁パネル１２Ａ（接続方向上流側）から、間仕切壁Ｗの他側端にある壁パネル１２Ｚ（接続方向下流側）へ向かう方向へ壁パネル１２・１２・・・を接続し、これとは逆方向へ壁パネル１２・１２・・・を解体することとなる。そして、後述するように、間仕切壁Ｗに開口部７・７・・・を形成することにて、該開口部７の接続方向上流側の壁パネル１２Ｚ’・１２Ｚ’・・・を解体の起点とすることができ、また、該開口部７の接続方向下流側の壁パネル１２Ａ’・１２Ａ’・・・を接続の起点とすることができる。
【００１５】
なお、本発明は、一方向へ壁パネルを接続し、それとは逆の一方向へ壁パネルを解体する接続形式の壁パネルを採用する間仕切壁に適用させることができ、接続部材の形状等の接続形態や、壁パネルの形態等には限定されない。
【００１６】
図３に示すように、据え付けられた間仕切壁が存在しない室内空間を、複数の壁パネルを接続して成る間仕切壁Ｗ・・・にて間仕切る場合には、間仕切壁Ｗの連続する略同一平面のそれぞれに少なくとも一つの開口部７を設けるようにする。これにより、間仕切壁Ｗの各連続する略同一平面に該間仕切壁の解体と接続の起点を形成することができ、解体又は接続する壁パネルの数を抑えて室内空間のレイアウトの変更を行うことができる。
【００１７】
ここで、室内空間に平面視略L字状に間仕切壁Ｗを組み立てる施工例について説明する。
図４に示すように、まず、天井９に上レール１０、床８に下レール１１を、接着剤やビス等を用いて固定する。上レール１０と下レール１１とは、上下に略平行に配置され、これらのレールにて間仕切壁Ｗの立設位置がほぼ定められる。
なお、間仕切壁Ｗのうち、開口部７を形成する部分には、下レール１１を設けない。
【００１８】
続いて、図５に示すように、壁パネル１２を上レール１０と下レール１１との間に立設し、上述の手順で、隣接する壁パネル１２・１２同士を接続する。
間仕切壁Ｗの端面には端面処理部材１３・１３・・・が嵌設され、間仕切壁Ｗの曲折部や、据え付けの壁との接続面等の美感を向上させる処理が為される。
【００１９】
そして、図７（ａ）に示すように、開口部７には、開口縁に、二本の開口縦枠１４・１４と、一本の開口横枠１５が取り付けられる。
開口横枠１５は、上レール１０に嵌設可能な形状とされ、上レール１０に着脱可能に嵌設される。開口横枠１５は、開口部７の周囲に立設された壁パネル１２・１２間に配置され、該壁パネル１２・１２と異なる部材である上レール１０に支持固定される。本実施例では開口横枠１５は上レール１０に支持固定されるが、開口横枠１５は壁パネル１２・１２と独立した部材に支持固定されれば足り、例えば、天井９に上レール１０とは異なる固定部材を設けて、該固定部材にて開口上枠１５を天井面に支持固定させることもできる。
なお、開口横枠１５は、開口部７に備える建具に応じて建具の通る溝やレールを形成した鴨居とすることもできる。
【００２０】
また、開口縦枠１４には、壁パネル１２の側面に形成された接続用溝（図示せず）と嵌合する嵌合部材３１・３１が設けられ、壁パネル１２の側面に開口縦枠１４が着脱可能に嵌設される。すなわち、開口縦枠１４は、立設された壁パネル１２の側面に着脱可能に固定される。
なお、本実施例においては、開口縦枠１４に設けられた嵌合部材３１を壁パネル１２の接続用溝に挿入したのち、開口縦枠１４を壁パネル１２に対して下方から上方へ移動させることによって嵌合部材３１を接続用溝に嵌合し、図７（ｂ）に示すように、壁パネル１２に開口縦枠１４を嵌設する構成としている。開口縦枠１４の下部には伸縮部１４ａが設けられ、開口縦枠１４は上下方向に伸縮可能とされている。
【００２１】
続いて、図８に示すように、壁パネル１２の下部に巾木１７・１７・・・が取り付けられ、間仕切壁Ｗの壁部分が完成する。
そして、図９に示すように、開口部７の上部の上レール１０や開口横枠１５に戸レール３４が固定され、該戸レール３４に戸３３が嵌め込まれて、開口部７を開閉可能に戸３３が備えられる。
【００２２】
上述のように組み立て施工された間仕切壁Ｗでは、開口部７に開口横枠１５及び開口縦枠１４・１４から成る開口枠が該開口部７の三方に設けられ、且つ、開口枠の構成部材は、間仕切壁Ｗを構成する全ての壁パネル１２・１２・・・の接続施工後に取り付けることができる。また、開口枠の構成部材は、間仕切壁Ｗを構成する全ての壁パネル１２・１２・・・から最初に取り外すことができる。従って、開口部７の間仕切壁Ｗの解体又は組立の起点となる機能を維持しながら、開口部７を装飾することができる。
【００２３】
上述のように、間仕切壁に開口部を設け、該開口部に開口枠を備えることによって、間仕切壁に、一側面若しくは両側面が他の壁パネルに接続されない壁パネルを、複数備えることができる。一側面が他の壁パネルと接続されない壁パネルのうち、他の壁パネルに後から接続された壁パネル（開口部の接続方向上流側の壁パネル）は、間仕切壁の解体の起点となることができる。また、一側面が他の壁パネルと接続されない壁パネルのうち、他の壁パネルよりに先に立設された壁パネル（開口部の接続方向下流側の壁パネル）は、間仕切壁の接続の起点となることができる。そして、両側面が他の壁パネルに接続されない壁パネルは、該壁パネル自体を独立して解体することができる。
これにより、間仕切壁を解体する際に、まず、開口枠を取り外して開口部に隣接するパネルから解体することができ、開口部を解体の起点又は接続の起点とすることができる。
【図面の簡単な説明】
【００２４】
【図１】本発明の実施例に係る間仕切壁の構成を示した平面図。
【図２】間仕切壁を構成する壁パネルの接続手順を説明する図。
【図３】間仕切壁を備えた室内空間の様子を示す図。
【図４】上下レールを敷設した間仕切壁施工の様子を示す図。
【図５】壁パネルを立設した間仕切壁施工の様子を示す図。
【図６】開口枠を取り付けた間仕切壁施工の様子を示す図。
【図７】開口部への開口枠の取り付け手順を説明する図。
【図８】巾木を取り付けた間仕切壁施工の様子を示す図。
【図９】戸を取り付けた間仕切壁施工の様子を示す図。
【図１０】従来の間仕切壁の構成の一例を示した平面図。
【符号の説明】
【００２５】
Ｗ  間仕切壁
７  開口部
１２  壁パネル
【図１】
2006241817.tif 000003
【図２】
2006241817.tif 000004
【図３】
2006241817.tif 000005
【図４】
2006241817.tif 000006
【図５】
2006241817.tif 000007
【図６】
2006241817.tif 000008
【図７】
2006241817.tif 000009
【図８】
2006241817.tif 000010
【図９】
2006241817.tif 000011
【図１０】
2006241817.tif 000012